(57)【要約】【課題】複数の医療関連システムの情報を関連付けて登録することで、術後のデータ処理が容易にする。【解決手段】内視鏡手術システムにおいては、病院内には麻酔機器関連システム４８が設置されている複数の手術室Ａ〜Ｊがあり、それぞれの麻酔機器関連システム４８はＬＡＮケーブル４５によりサーバ４７が管理している院内ネットワーク４４に接続されている。また、麻酔機器関連システム４８は、ケーブルにより内視鏡システム１に接続されており、双方向通信が可能である。【選択図】  図１
2004267461.tif 000002
【特許請求の範囲】
【請求項１】
手術室に設置されるとともに、所定の通信回線に接続された麻酔関連機器とともに使用可能な内視鏡システムにおいて、
前記麻酔関連機器に設けられた、情報を送受信可能な送受信手段を備え、
前記送受信手段を介して前記麻酔関連機器より送信された第１の情報と、前記内視鏡システム内で検出された第２の情報とを同一患者に対して関連づけ第３の情報を生成することを特徴とする内視鏡手術システム。
【請求項２】
手術中の麻酔に関連する麻酔関連情報を時系列的に順次記録可能な麻酔情報記録手段を有する麻酔関連システムと、
患者の術部の画像を時系列的に順次記録する画像記録手段を有する内視鏡手術システムと、
前記麻酔関連システムと前記内視鏡手術システムとの間で通信する通信手段と、
前記通信手段によって前記麻酔関連システムから前記内視鏡手術システムに通信された時刻情報に基づいて、前記画像記録手段に記録された術部画像を読み出して前記通信手段に出力する前記内視鏡手術システムに設けられた画像読み出し制御手段と、
前記画像読み出し制御手段によって前記通信手段を介して前記内視鏡手術システムから前記麻酔関連システムに送信された前記術部画像を同一患者の前記麻酔関連情報に関連づけて記録するように前記麻酔情報記録手段を制御する前記麻酔関連システムに設けられた記録制御手段とを具備したことを特徴とする内視鏡手術システム。
【発明の詳細な説明】
【０００１】
【発明の属する技術分野】
本発明は、遠隔的に手術を支援する内視鏡手術システムに関する。
【０００２】
【従来の技術】
近年、医療機関等において、患者に対する医療処置情報や内視鏡検査で得られた内視鏡画像データ等の情報を入力し、電子的に情報を管理することが出来る医療情報処理装置が利用されている。
【０００３】
例えば、特開２０００−２７６５４０号公報に示されるような従来の技術では、患者の医療処置情報や内視鏡画像手術装置の操作情報等の情報を集積出来るようになっている。
【０００４】
【特許文献１】
特開２０００−２７６５４０号公報
【０００５】
【発明が解決しようとする課題】
しかしながら、特開平２０００−２７６５４０号では、以下の問題点がある。
【０００６】
現在、手術室には、様々なデータ／画像を有する機器システムが使用されている。特に、その中でも麻酔関連機器と内視鏡関連機器はそのデータ量も多く複雑である。
【０００７】
現状は、麻酔関連機器、内視鏡関連機器共別々にネツトワークに接続され、独立してデータの転送等を行っているため、術後それを関連づけること、あるいは整理することは面倒である。
【０００８】
本発明は、上記事情に鑑みてなされたものであり、複数の医療関連システムの情報を関連付けて登録することで、術後のデータ処理が容易にすることのできる内視鏡手術システムを提供することを目的としている。
【０００９】
【課題を解決するための手段】
本発明の請求項１に記載の内視鏡手術システムは、手術室に設置されるとともに、所定の通信回線に接続された麻酔関連機器とともに使用可能な内視鏡システムにおいて、前記麻酔関連機器に設けられた、情報を送受信可能な送受信手段を備え、前記送受信手段を介して前記麻酔関連機器より送信された第１の情報と、前記内視鏡システム内で検出された第２の情報とを同一患者に対して関連づけ第３の情報を生成するように構成される。
【００１０】
本発明の請求項２に記載の内視鏡手術システムは、手術中の麻酔に関連する麻酔関連情報を時系列的に順次記録可能な麻酔情報記録手段を有する麻酔関連システムと、患者の術部の画像を時系列的に順次記録する画像記録手段を有する内視鏡手術システムと、前記麻酔関連システムと前記内視鏡手術システムとの間で通信する通信手段と、前記通信手段によって前記麻酔関連システムから前記内視鏡手術システムに通信された時刻情報に基づいて、前記画像記録手段に記録された術部画像を読み出して前記通信手段に出力する前記内視鏡手術システムに設けられた画像読み出し制御手段と、前記画像読み出し制御手段によって前記通信手段を介して前記内視鏡手術システムから前記麻酔関連システムに送信された前記術部画像を同一患者の前記麻酔関連情報に関連づけて記録するように前記麻酔情報記録手段を制御する前記麻酔関連システムに設けられた記録制御手段とを具備して構成される。
【００１１】
【発明の実施の形態】
以下、図面を参照しながら本発明の実施の形態について述べる。
【００１２】
図１ないし図１４は本発明の第１の実施の形態に係わり、図１は内視鏡手術システムの構成を示す構成図、図２は図１の内視鏡システムの構成を示す構成図、図３は図２の内視鏡システムの接続構成を示すブロック図、図４は図３のシステムコントローラの構成を示すブロック図、図５は図１の麻酔機器関連システムの構成を示すブロック図、図６は図１の麻酔機器関連システムの集中操作パネルに表示される第１の操作画面を示す図、図７は図１の麻酔機器関連システムの集中操作パネルに表示される第２の操作画面を示す図、図８は図１の麻酔機器関連システムの集中操作パネルに表示される第３の操作画面を示す図、図９は図１の麻酔機器関連システムの集中操作パネルに表示される第４の操作画面を示す図、図１０は図１の麻酔機器関連システムの集中操作パネルに表示される第５の操作画面を示す図、図１１は図１の麻酔機器関連システムの集中操作パネルに表示される第６の操作画面を示す図、図１２は図１の麻酔機器関連システムの集中操作パネルに表示される第７の操作画面を示す図、図１３は図１の麻酔機器関連システムの集中操作パネルに表示される第８の操作画面を示す図、図１４は図１の内視鏡システムで有するデータを麻酔機器関連システムを介して院内ネットワークに保存する方法を示したフローチャートである。
【００１３】
（構成）
本実施の形態の内視鏡手術システムにおいては、図１に示すように、病院内には麻酔機器関連システム４８が設置されている複数の手術室Ａ〜Ｊがあり、それぞれの麻酔機器関連システム４８はＬＡＮケーブル４５によりサーバ４７が管理している院内ネットワーク４４に接続されている。また、麻酔機器関連システム４８は、図示しないケーブルにより内視鏡システム１に接続されており、双方向通信が可能である。
【００１４】
図２に示すように、内視鏡システム１は、患者３が横たわる手術台２の両側に第１のトロリー４及び第２のトロリー５とが配置され、これらの両トロリー４、５には観察、検査、処置、記録などを行う複数の内視鏡周辺機器が搭載されている。
【００１５】
第１のトロリー４には、第１のＴＶカメラ装置６、第１の光源装置７、高周波焼灼装置（以下、電気メス）８、気腹装置９、ビデオプリンタ１０、第１のディスプレイ１２、非滅菌域に配置されナースが医療機器の操作を集中して行う図示しないマウスとタッチパネル等のポインティングデバイスを有した集中操作パネル１４、システムコントローラ１５等が搭載され、それぞれの機器は、後述するケーブルを介してシステムコントローラ１５と接続され、双方向通信を行えるようになっている。
【００１６】
第１の光源装置７は照明光を伝送するライトガイドケーブル１６を介して第１の内視鏡１７に接続され、第１の光源装置７の照明光を第１の内視鏡１７のライトガイドに供給し、この第１の内視鏡１７の挿入部が刺入された患者３の腹部内の患部等を照明する。
【００１７】
この第１の内視鏡１７の接眼部には撮像素子を備えた第１のカメラヘッド１９が装着され、第１の内視鏡１７の観察光学系による患部等の光学像を第１のカメラヘッド１９内の撮像素子で撮像し、カメラケーブル２０を介して第１のＴＶカメラ装置６に伝送し、第１のＴＶカメラ装置６内の信号処理回路で信号処理して、映像信号を生成し、システムコントローラ１５を介して第１のディスプレイ１２に出力して患部等の内視鏡画像を表示できるようにしている。
【００１８】
システムコントローラ１５には、図示しないＭＯ等の外部媒体記録装置（ＤＶＤあるいはＭＯ等）が内蔵されており、外部記録媒体に記録された画像を第１のディスプレイ１２に出力して表示できるようにしている。
【００１９】
また、システムコントコーラ１５には、図示しない病院内に設けられた通信回線４５と図示しないケーブルで接続され、通信回線４５上の画像データ等を第１のディスプレイ１２に出力して表示できるようにしている。
【００２０】
気腹装置９にはＣＯ２ボンベ２１が接続され、気腹装置９から患者３に延びた気腹チューブ２２を介して患者３の腹部内にＣＯ２ガスを供給できるようにしている。
【００２１】
第２のトロリー５には、第２のＴＶカメラ装置２３、第２の光源装置２４、超音波処置装置２５、ＶＴＲ２６  第２のディスプレイ２７、集中表示装置２８及び中継ユニット２９等が搭載され、それぞれの機器は図示しないケーブルで中継ユニット２９に接続され、双方向の通信が可能になっている。
【００２２】
第２の光源装置２４は照明光を伝送するライトガイドケーブル３１を介して第２の内視鏡３２に接続され、第２の光源装置２４の照明光を第２の内視鏡３２のライトガイドに供給し、この第２の内視鏡３２の挿入部が刺入された患者３の腹部内の患部等を照明する。
【００２３】
この第２の内視鏡３２の接眼部には撮像素子を備えた第２のカメラヘッド３３が装着され、第２の内視鏡３２の観察光学系による患部等の光学像を第２のカメラヘッド３３内の撮像素子で撮像し、カメラケーブル３４を介して第２のＴＶカメラ装置２３に伝送し、第２のＴＶカメラ装置２３内の信号処理回路で信号処理して、映像信号を生成し、第２のディスプレイ２７に出力して患部等の内視鏡画像を表示できるようにしている。
【００２４】
システムコントローラ１５と中継ユニット２９はシステムケーブル３０で接続されている。
【００２５】
さらに、システムコントローラ１５には術者が滅菌域から機器操作を行うＤｒリモートコントローラ（以下、Ｄｒリモコンと記す）３５が接続されている。
【００２６】
また、システムコントローラ１５には、マイク３６が接続できるようになっており、システムコントローラ１５はマイク３６から入力された音声を認識し、術者の音声により各機器を制御できるようになっている。また、ケーブル３８を介してフットスイッチ３７が超音波処置装置２５に接続されている。
【００２７】
図３に示すように、集中操作パネル１４、第１のＴＶカメラ装置６、第１の光源装置７、電気メス８、気腹装置９、ビデオプリンタ１０、第１のディスプレイ１２はそれぞれ通信ケーブル４０によりシステムコントローラ１５と接続され、データ及び映像信号を送受できるようになっている。
【００２８】
第２のＴＶカメラ装置２３、第２の光源装置２４、超音波処置装置２５、ＶＴＲ２６、第２のディスプレイ２７は、通信ケーブル４１により中継ユニット２９に接続され、データ及び映像信号を送受できるようになっている。
【００２９】
また、中継ユニット２９はケーブル３０（図２参照）によりシステムコントローラ１５と接続されている。さらに集中操作パネル１４は集中操作パネルケーブル４２を介し、ヘッドセット３６はヘッドセットケーブル４７を介し、またＤｒリモコン３５はリモコンケーブル４４を介し、さらには集中表示パネル１３，２８がシステムケーブル４６ａ，４６ｂを介してそれぞれシステムコントローラ１５と接続さている。さらに麻酔機器関連システム４８は、システムケーブル４９によりシステムコントローラ１５と接続されている。
【００３０】
図４は、システムコントローラ１５の内部構成を示す。
手術室に設置されているシステムコントローラ１５には、ＣＰＵ５１、通信インターフェース（以下、Ｉ／Ｆと略記）５２、集中操作パネルＩ／Ｆ５３、ディスプレイＩ／Ｆ５４、麻酔機器関連システムＩ／Ｆ５５、記憶装置５６が備えられている。
【００３１】
各医療機器とは通信ケーブル５７を介して通信Ｉ／Ｆ５２で接続され、集中操作パネル１４とは集中操作パネルケーブル４２を介して集中操作パネルＩ／Ｆ５３で接続され、ディスプレイ１２とは通信ケーブル４０を介してディスプレイＩ／Ｆ５４で接続され、麻酔機器関連システム４８とはシステムケーブル４９を介して麻酔機器関連システムＩ／Ｆ５５で接続されている。
【００３２】
これらＩ／Ｆ３４〜３７と記憶装置５６は、集中制御するＣＰＵ５１と接続されている。
【００３３】
図５は、麻酔機器関連システム４８の内部構成である。
手術室に設置されている麻酔機器関連システム４８は、ＣＰＵ５８、心拍数計測器５９、血圧計６０、酸素飽和度計測器６１、麻酔装置６２、集中操作パネルＩ／Ｆ６３、ネットワークＩ／Ｆ６４、内視鏡システムＩ／Ｆ６５、記憶装置６６が備えられている。
【００３４】
内視鏡システム１とはシステムケーブル４９を介して内視鏡システムＩ／Ｆ６５で接続され、院内ネットワーク４４とは、ＬＡＮケーブル４５を介してネットワークＩ／Ｆ６４で接続されている。これらＩ／Ｆと心拍数計測器５９、血圧計６０、酸素飽和度計測器６１３、麻酔装置６２、記憶装置６６は、集中制御するＣＰＵ５８と接続されている。
【００３５】
図６ないし図１３は、麻酔機器関連システム４８の集中操作パネル６７の各種操作画面を示す。
【００３６】
図６はメイン画面７０であって、情報転送スイッチ７１が設けられている。情報転送スイッチ７１を選択すると、図７に示す患者データ入力画面６２が表示される。
【００３７】
図７は患者データ入力画面７２であって、患者データ入力欄７３とキーボードスイッチ７４とＮＥＸＴスイッチ７５が設けられている。キーボードスイッチ７４によって患者データを入力し、ＮＥＸＴスイッチ７５を選択すると、図８に示す記録情報選択画面７６が表示される。
【００３８】
図８は記録情報選択画面７６であって、静止画スイッチ７７、動画スイッチ７８、機器操作データスイッチ７９が設けられている。各スイッチを選択すると、それぞれの記録情報選択画面が表示される。
【００３９】
図９は静止画の記録情報選択画面８０であって、システムコントローラ１５の記憶装置５６に記録された静止画が表示される。所望の静止画を選択すると、図１０に示す静止画確認画面８１が表示される。
【００４０】
図１０は静止画確認画面８１であって、静止画表示エリア８２とＮＥＸＴスイッチ８３とＢＡＣＫスイッチ８４が設けられている。静止画表示エリア８２には図９に示す記録情報選択画面８０で選択した静止画が拡大表示される。  ＮＥＸＴスイッチ８３を選択すると、図１１に示す情報付加画面８５が表示される。ＢＡＣＫスイッチ８４を選択すると、図９に示す記録情報選択画面８０に戻る。
【００４１】
図１１は情報付加画面８５であって、ＹＥＳスイッチ８６とＮＯスイッチ８７が設けられている。選択した登録データに麻酔機器関連システム４８のデータを付加する場合、ＹＥＳスイッチ８６を選択する。図１２に示す付加機能選択画面８８が表示される。ＮＯスイッチ８７を選択すると、選択した情報が麻酔器システム４８と院内ネットワーク４４を介してサーバ４７に登録される。
【００４２】
図１２は付加機能選択画面８８であって、心拍数スイッチ８９と血圧スイッチ９０と酸素飽和度スイッチ９１、ＮＥＸＴスイッチ９２が設けられている。登録する情報に付加したいデータを選択し、ＮＥＸＴスイッチ９２を選択すると、図１３に示す登録情報確認画面９３が表示される。
【００４３】
図１３は登録情報確認画面９３であって、記録情報表示エリア９４と患者データ表示エリア９５と麻酔機器関連システム４８のデータ表示エリア９６、登録スイッチ９７と戻るスイッチ９８が設けられている。記録情報表示エリア９４には、登録する静止画が表示され、患者データ表示エリア９５には入力した患者データが表示され、麻酔機器関連システム４８のデータ表示エリア９６には選択した機能の情報が表示される。登録スイッチ９７を選択すると、表示されているデータが院内ネットワーク４４を介してサーバ４７に記録され、戻るスイッチ９８を選択すると、図１０に示す静止画確認画面８１に戻る。
【００４４】
（作用）
図１４は、内視鏡システム１で有するデータを麻酔機器関連システム４８を介して院内ネットワーク４４に保存する方法を示したフローチャートである。
【００４５】
図７において、内視鏡システム１で有するデータを麻酔機器関連システム４８を介して院内ネットワーク４４に保存する方法を示す。
【００４６】
ステップＳ１として、麻酔機器関連システム４８の集中操作パネル６７に図６に示すメイン画面７０を表示する。情報転送スイッチ７１を選択し、図７に示す患者データ入力画面７２を表示する。
【００４７】
ステップＳ２として、患者データ入力画面７２のキーボードスイッチ７４により患者データを入力する。本実施の形態では、例えば氏名をＫＯＮＩＳＨＩ、年齢を２６、性別を男、手技名を胆嚢摘出手術、年月日を２００２年７月２３日と入力し、ＮＥＸＴスイッチ７５を選択すると、図８に示す機能情報選択画面７６が表示される。
【００４８】
ステップＳ３として、機能情報選択画面７６において院内ネットワーク４４に登録する機能を選択する。本実施の形態では、例えば静止画を記録するために静止画スイッチ７７を選択すると、図９に示す静止画の記録情報選択画面８０が表示される。
【００４９】
ステップＳ４として、記録情報選択画面８０において院内ネットワーク４４に登録する静止画を選択する。本実施の形態では、例えば静止画１を選択すると、図１０に示す静止画１の静止画確認画面８１が表示される。
【００５０】
ステップＳ５として、静止画確認画面８１において登録する静止画を確認する。ＮＥＸＴスイッチ８３を選択すると、図１１に示す情報付加画面８５が表示される。
【００５１】
ステップＳ６として、情報付加画面８５において麻酔機器関連システム４８の情報を登録情報に付加するか選択する。ＹＥＳスイッチ８６を選択すると、図１２に示す付加機能選択画面８８が表示される。ＮＯスイッチ８７を選択すると、ステップＳ９へ移行する。
【００５２】
ステップＳ７として、付加機能選択画面８８において付加する機能を選択する。本実施の形態では、例えば心拍数スイッチ８９、血圧スイッチ９０を選択し、２つのデータを付加し、ＮＥＸＴスイッチ９２を選択し、図１３に示す登録情報確認画面９３を表示させる。
【００５３】
ステップＳ８として、登録情報確認画面９３において選択した情報を院内ネットワーク４４に登録するか選択する。登録する場合は、登録スイッチ９７を選択し、ステップＳ９へ移行する。
【００５４】
ステップＳ９として、選択した静止画、患者データ、心拍数、血圧を院内ネットワーク４４に登録する。
【００５５】
（効果）
このように本実施の形態では、麻酔機器関連システム４８を介して内視鏡システム１のデータを院内ネツトワーク４４ヘ転送することにより、１つの経路で手術室で用いられるデータを院内ネツトワーク４４ヘ転送出来るため使い勝手がよい。
【００５６】
図１５ないし図２６は本発明の第２の実施の形態に係わり、図１５はシステムコントローラの構成を示すブロック図、図１６は図１５のシステムコントローラと接続される麻酔機器関連システムの構成を示すブロック図、図１７は図１６の麻酔機器関連システムの集中操作パネルに表示される第１の操作画面を示す図、図１８は図１６の麻酔機器関連システムの集中操作パネルに表示される第２の操作画面を示す図、図１９は図１６の麻酔機器関連システムの集中操作パネルに表示される第３の操作画面を示す図、図２０は図１６の麻酔機器関連システムの集中操作パネルに表示される第４の操作画面を示す図、図２１は図１６の麻酔機器関連システムの集中操作パネルに表示される第５の操作画面を示す図、図２２は図１６の麻酔機器関連システムの集中操作パネルに表示される第６の操作画面を示す図、図２３は図１６の麻酔機器関連システムの集中操作パネルに表示される第７の操作画面を示す図、図２４は図１６の麻酔機器関連システムの集中操作パネルに表示される第８の操作画面を示す図、図２５は図１６の麻酔機器関連システム４８の中の情報が異常値を示した場合に異常値を示したデータとその時の内視鏡システム１で有するデータを関連付けて院内ネットワーク４４に保存する方法を示す第１のフローチャート、図２６は図１６の麻酔機器関連システム４８の中の情報が異常値を示した場合に異常値を示したデータとその時の内視鏡システム１で有するデータを関連付けて院内ネットワーク４４に保存する方法を示す第２のフローチャートである。
【００５７】
第２の実施の形態は、第１の実施の形態とほとんど同じであるので、異なる点のみ説明し、同一の構成には同じ符号をつけ説明は省略する。
【００５８】
（構成）
図１５はシステムコントローラ１５の内部構成を示す。
第１の実施の形態に示す構成に加えてコード管理部９９及び時間管理部１００を有し、それぞれＣＰＵ５１に接続されている。
【００５９】
図１６は麻酔機器関連システム４８の内部構成を示す。
第１の実施の形態に示す構成に加えて異常検知センサ１０１、コード管理部１０２、時間管理部１０３を有し、いずれもＣＰＵ５８と接続されている。
【００６０】
図１７ないし図２４は、麻酔機器関連システム４８の集中操作パネル６７の各種操作画面を示す。
【００６１】
図１７は麻酔機器関連システム４８の集中操作パネル６７のメイン画面９４であって、情報連動スイッチ１０５が設けられている。情報連動スイッチ１０５を選択すると、図８に示す患者データ入力画面７２が表示される。
【００６２】
図１８は上限値・下限値入力画面１０６であって、上限値入力欄１０７、下限値入力欄１０８、キーボードスイッチ１０９、ＮＥＸＴスイッチ１１０が設けられている。キーボードスイッチ１０９を用いて心拍数、血圧、酸素飽和度の上限値、下限値を入力し、ＮＥＸＴスイッチ１１０を選択すると、図１９に示す連動機能選択画面１１１が表示される。
【００６３】
図１９は連動機能選択画面１１１であって、静止画スイッチ１１２、動画スイッチ１１３、機器操作データスイッチ１１４、ＮＥＸＴスイッチ１１５が設けられている。連動させる機能を選択すると、異常を検知した際に記録する機能が設定される。
【００６４】
図２０は登録情報選択画面１１６であって、登録情報選択スイッチ１１７とＮＥＸＴスイッチ１１８が設けられている。院内ネットワーク４４に登録する情報を選択し、ＮＥＸＴスイッチ１１８を選択すると、図２１に示す詳細画面１１９が表示される。
【００６５】
図２１は詳細画面（付加前）１１９であって、ＮＥＸＴスイッチ１２０とＢＡＣＫスイッチ１２１が設けられている。ＮＥＸＴスイッチ１２０を選択すると、図２２に示す情報付加選択画面１２２が表示される。ＢＡＣＫスイッチ１２１を選択すると、図２０の登録情報選択画面１１６に戻る。
【００６６】
図２２は情報付加選択画面１２２であって、情報付加選択スイッチ１２３とＮＥＸＴスイッチ１２４が設けられている。付加する情報を選択し、ＮＥＸＴスイッチ１２４を選択すると、図２３に示す詳細画面１２５が表示される。
【００６７】
図２３は詳細画面（付加後）１２５であって、登録情報表示欄１２６、ＮＥＸＴスイッチ１２７、ＢＡＣＫスイッチ１２８が設けられている。  ＮＥＸＴスイッチ１２７を選択すると、図２４に示すネットワーク登録画面１２９が表示される。ＢＡＣＫスイッチ１２８を選択すると、図２２の情報付加選択画面１２２に戻る。
【００６８】
図２４はネットワーク登録画面１２９であって、  ＹＥＳスイッチ１３０とＮＯスイッチ１３１が設けられている。  ＹＥＳスイッチ１３０を選択すると、院内ネットワーク４４に情報が登録される。ＮＯスイッチ１２１を選択すると、図２３の詳細画面（付加後）１２５に戻る。
【００６９】
（作用）
図２５及び図２６において、麻酔機器関連システム４８の中の情報が異常値を示した場合に異常値を示したデータとその時の内視鏡システム１で有するデータを関連付けて院内ネットワーク４４に保存する方法を示す。
【００７０】
ステップＳ３１として、麻酔機器関連システム４８の集中操作パネル６７に図１７に示すメイン画面１０４を表示する。情報記録スイッチ１０５を選択し、図８に示す患者データ入力画面７２を表示する。
【００７１】
ステップＳ３２として、患者データ入力画面７２においてキーボードスイッチ７４により患者データを入力する。本実施の形態では、例えば、氏名をＫＯＮＩＳＨＩ、年齢を２６、性別を男、手技名を胆嚢摘出手術、年月日を２００２年７月２３日と入力し、ＮＥＸＴスイッチ７５を選択すると、図１８に示す上限値・下限値入力画面１０６が表示される。
【００７２】
ステップＳ３３として、上限値・下限値入力画面１０６において麻酔機器関連システム４８の中の情報の上限値、下限値を入力する。本実施の形態では、例えば、心拍数を６０〜９０回／分、血圧を４０〜２００ｍｍＨｇ、酸素飽和度を９０〜１０５％と設定し、ＮＥＸＴスイッチ１１０を選択すると、図１９に示す連動機能選択画面１１１が表示される。
【００７３】
ステップＳ３４として、異常を検知した時に記録する内視鏡システム１内の機能を選択する。つまり、連動させる選択機能スイッチを選択する。本実施の形態では静止画スイッチ１１２を選択し、ＮＥＸＴスイッチ１１５を選択すると、ステップＳ３５へ移行する。
【００７４】
ステップＳ３５として、麻酔機器関連システム４８の中の情報の測定を開始し、ステップＳ３６へ移行する。
【００７５】
ステップＳ３６として、麻酔機器関連システム４８の中の情報に異常が発生しているかどうかを異常検知センサ１０１が判断する。異常を検知した場合、本実施の形態では例えば血圧値が２００ｍｍＨｇを越えた場合、ステップＳ３７へ移行する。異常を検知しない場合はステップＳ３５に戻る。
【００７６】
ステップＳ３７として、異常を検知したら検知前後のデータをファイル化する。本実施の形態では、例えば、発生５分前から異常検知後５分後までのデータを１つのファイルとして記憶装置６０に記録し、ステップＳ３８へ移行する。
【００７７】
ステップＳ３８として、記憶装置５８に記録されたファイルにコード管理部１０２がＷａｒｎｉｎｇコードを割り当てる。本実施の形態では例えばＷａｒｎｉｎｇコード１を割り付け、ステップＳ３９へ移行する。
【００７８】
ステップＳ３９として、割り付けたＷａｒｎｉｎｇコード１を内視鏡システム１へ送信し、ステップＳ４０へ移行する。
【００７９】
ステップＳ４０として、内視鏡システム１のＣＰＵ５１がＷａｒｎｉｎｇコード１を受信し、記憶装置５６に登録し、ステップＳ４１へ移行する。
【００８０】
ステップＳ４１として、連動させる機能として選択された機能が起動する。本実施の形態では静止画が撮影され、内視鏡システム１の記憶装置５６に記録される。その際、記録された情報には麻酔機器関連システム４８より送信されたＷａｒｎｉｎｇコード１が割り付けられる。また、記録された情報には、コード管理部９９が時間管理部１００を用いて静止画を撮影した時間も割り付けられ、ステップＳ４２へ移行する。
【００８１】
ステップＳ４２として、連動させる機能として選択された機能を記録してから一定時間経過したかどうかを麻酔機器関連システム４８のＣＰＵ５８が判断する。経過した場合はステップＳ４１へ移行する。経過していない場合はステップＳ４３へ移行する。
【００８２】
ステップＳ４３として、異常を検知してから一定時間経過したかどうかを麻酔機器関連システム４８のＣＰＵ５８  が判断する。経過した場合はステップＳ４４へ移行する。経過していない場合はステップＳ４２へ戻る。
【００８３】
ステップＳ４４として、図２０に示す登録情報選択画面１１６を表示させる。院内ネットワーク４４に登録する情報を選択し、ＮＥＸＴスイッチ１１８を選択すると図２１に示す詳細画面１１９が表示される。本実施の形態では、例えば、血圧１を選択する。
【００８４】
ステップＳ４５として、登録する血圧の情報の詳細が表示される。表示された情報を院内ネットワーク４４に登録する場合はＮＥＸＴスイッチ１２０を選択することで、図２２に示す情報付加選択画面１２２が表示される。
【００８５】
ステップＳ４６として、付加する情報を選択する。情報付加選択スイッチ１２３を選択し、ＮＥＸＴスイッチ１２４を選択した場合は図２３に示す詳細画面（付加後）１２５が表示され、ステップＳ４７へ移行する。情報付加選択スイッチ１２３を選択せずにＮＥＸＴスイッチ１２４を選択した場合はステップＳ４８へ移行する。
【００８６】
ステップＳ４７として、血圧の情報に血圧１と同じＷａｒｎｉｎｇコードを持った静止画が付加されて表示される。表示された情報を院内ネットワーク４４に登録する場合はＮＥＸＴスイッチ１２７を選択することで、ステップＳ４８へ移行する。ＢＡＣＫスイッチ１２８を選択するとステップＳ４６へ戻る。
【００８７】
ステップＳ４８として、選択した情報を院内ネットワーク４４に登録する。
【００８８】
（効果）
このように本実施の形態では、第１の実施の形態の効果に加え、異常状態とその際の内視鏡システムが保有する情報を時系列的に関連性を持たせ記録することができるため術後の手間が大きく軽滅される。
【００８９】
本発明は、上述した実施の形態に限定されるものではなく、本発明の要旨を変えない範囲において、種々の変更、改変等が可能である。
【００９０】
【発明の効果】
以上説明したように本発明によれば、複数の医療関連システムの情報を関連付けて登録することで、術後のデータ処理が容易にすることができるという効果がある。
【図面の簡単な説明】
【図１】本発明の第１の実施の形態に係る内視鏡手術システムの構成を示す構成図
【図２】図１の内視鏡システムの構成を示す構成図、
【図３】図２の内視鏡システムの接続構成を示すブロック図
【図４】図３のシステムコントローラの構成を示すブロック図
【図５】図１の麻酔機器関連システムの構成を示すブロック図
【図６】図１の麻酔機器関連システムの集中操作パネルに表示される第１の操作画面を示す図
【図７】図１の麻酔機器関連システムの集中操作パネルに表示される第２の操作画面を示す図
【図８】図１の麻酔機器関連システムの集中操作パネルに表示される第３の操作画面を示す図
【図９】図１の麻酔機器関連システムの集中操作パネルに表示される第４の操作画面を示す図
【図１０】図１の麻酔機器関連システムの集中操作パネルに表示される第５の操作画面を示す図
【図１１】図１の麻酔機器関連システムの集中操作パネルに表示される第６の操作画面を示す図
【図１２】図１の麻酔機器関連システムの集中操作パネルに表示される第７の操作画面を示す図
【図１３】図１の麻酔機器関連システムの集中操作パネルに表示される第８の操作画面を示す図
【図１４】図１の内視鏡システムで有するデータを麻酔機器関連システムを介して院内ネットワークに保存する方法を示したフローチャート
【図１５】本発明の第２の実施の形態に係るはシステムコントローラの構成を示すブロック図
【図１６】図１５のシステムコントローラと接続される麻酔機器関連システムの構成を示すブロック図
【図１７】図１６の麻酔機器関連システムの集中操作パネルに表示される第１の操作画面を示す図
【図１８】図１６の麻酔機器関連システムの集中操作パネルに表示される第２の操作画面を示す図
【図１９】図１６の麻酔機器関連システムの集中操作パネルに表示される第３の操作画面を示す図
【図２０】図１６の麻酔機器関連システムの集中操作パネルに表示される第４の操作画面を示す図
【図２１】図１６の麻酔機器関連システムの集中操作パネルに表示される第５の操作画面を示す図
【図２２】図１６の麻酔機器関連システムの集中操作パネルに表示される第６の操作画面を示す図
【図２３】図１６の麻酔機器関連システムの集中操作パネルに表示される第７の操作画面を示す図
【図２４】図１６の麻酔機器関連システムの集中操作パネルに表示される第８の操作画面を示す図
【図２５】図１６の麻酔機器関連システム４８の中の情報が異常値を示した場合に異常値を示したデータとその時の内視鏡システム１で有するデータを関連付けて院内ネットワーク４４に保存する方法を示す第１のフローチャート
【図２６】図１６の麻酔機器関連システム４８の中の情報が異常値を示した場合に異常値を示したデータとその時の内視鏡システム１で有するデータを関連付けて院内ネットワーク４４に保存する方法を示す第２のフローチャート
【符号の説明】
１…内視鏡手術システム
４…第１のトロリー
５…第２のトロリー
６…第１のＴＶカメラ装置
７…第１の光源装置
８…電気メス
９…気腹装置
１０…超音波観測装置
１１…プリンタ
１２…第１のディスプレイ
１３，２８…集中表示パネル
１４…集中操作パネル
１５…システムコントローラ
１６、３１…ライトガイドケーブル
１７…第１の内視鏡
１９…第１のカメラヘッド
２０…カメラケーブル
２１…ＣＯ２ボンベ
２３…第２のＴＶカメラ装置
２４…第２の光源装置
２５…超音波処置装置
２６…ＶＴＲ
２７…第２のディスプレイ
２９…中継ユニット
３５…Ｄｒリモコン
３６…マイク
３７…フットスイッチ
４４…院内ネットワーク
４５…ＬＡＮケーブル
４７…サーバ
４８…麻酔機器関連システム
【図１】
2004267461.tif 000003
【図２】
2004267461.tif 000004
【図３】
2004267461.tif 000005
【図４】
2004267461.tif 000006
【図５】
2004267461.tif 000007
【図６】
2004267461.tif 000008
【図７】
2004267461.tif 000009
【図８】
2004267461.tif 000010
【図９】
2004267461.tif 000011
【図１０】
2004267461.tif 000012
【図１１】
2004267461.tif 000013
【図１２】
2004267461.tif 000014
【図１３】
2004267461.tif 000015
【図１４】
2004267461.tif 000016
【図１５】
2004267461.tif 000017
【図１６】
2004267461.tif 000018
【図１７】
2004267461.tif 000019
【図１８】
2004267461.tif 000020
【図１９】
2004267461.tif 000021
【図２０】
2004267461.tif 000022
【図２１】
2004267461.tif 000023
【図２２】
2004267461.tif 000024
【図２３】
2004267461.tif 000025
【図２４】
2004267461.tif 000026
【図２５】
2004267461.tif 000027
【図２６】
2004267461.tif 000028